【手続補正書】
【提出日】平成15年8月8日(2003.8.8)
【手続補正１】
【補正対象書類名】明細書
【補正対象項目名】特許請求の範囲
【補正方法】変更
【補正の内容】
【特許請求の範囲】
【請求項１】
適所に一対のレンズを装着するためのフレーム本体を備え、
前記フレーム本体が、二つのレンズ間を連結する第一ブリッジと、前記レンズの外側部に各々設けられた二つの側部延長部とを有し、
前記側部延長部の各々が、そこから後方に向けて伸び、つるを回動可能に連結するためのヒンジ部と、延長部の各々の後側に設けられた係合手段とを備えた
基本メガネフレームに装着するための相互ロック可能な磁性シェルターフレームであって、
前記シェルターフレームが、
二つの補助レンズを支持し、
前記二つの補助レンズ間に伸びるブリッジと、前記二つの補助レンズの外側部に各々設けられ、前記基本メガネフレームの前記フレーム本体の前記二つの係合手段と相互ロックし、前記基本メガネフレーム上にシェルターフレームを確実に装着するための二つの側部相互ロック手段とを備え、
前記相互ロック手段の各々が、
前記基本メガネフレームの前記フレーム本体の前記延長部の各々を横切って後方に伸びる支持アームと、
前記支持アームに連結され、前記各側部延長部の後方から磁性的に引き付ける、前記各延長部の前記各係合部材と磁性的に係合し、前記シェルターフレームを前記基本メガネフレームの正面に確実に装着するため、前記支持アームから下方へ向けて接続された磁性シートと
を備え、
二つの係合手段が、前記二つの側部延長部の前記二つの後側から突出するように、一体型で二つの係合部材を備えること、係合溝が、前記二つの磁性シートの各々の前面上に形成されること、前記シェルターフレームを、前記基本メガネフレームの前面に装着して、前記シェルターフレームと前記基本メガネフレームを、前記シェルターメガネの上方、下方、右側、左側への動きを防止することによって、更に相互ロックするようにした時、前記二つの係合部材が、前記二つの係合溝に嵌まり込むように、係合するため構成されること、
を特徴とする基本メガネフレームに装着するための相互ロック可能な磁性シェルターフレーム。
【請求項２】
前記二つの側部延長部が、磁性的に引き付ける能力を有した軟磁性金属から作られることを特徴とする請求項１に記載の基本メガネフレームを装着するための相互ロック可能な磁性シェルターフレーム。
【請求項３】
前記二つの磁性シートの各々が
非磁性材料で形成され、且つ前記各指示アームから下向きに接続された、磁石ハウジングと、
前記基本メガネフレームの前記フレーム本体の前面に、前記シェルターフレームを装着した時に、一方の磁極が、前記各側部延長部の各係合部材と向き合い、かつ、それと整列するように、前記磁石ハウジング内に設けられた磁石とを備えていること、
を特徴とする請求項２に記載の基本メガネフレームを装着するための相互ロック可能な磁性シェルターフレーム。
【請求項４】
前記二つの磁石の各々の厚みが前記二つの磁石ハウジングの深さよりも小さく、
前記二つの磁石を、前記基本メガネフレームの二つの側部延長部の二つの係合部材に係合するため、前記二つの磁石ハウジング内にはめ込んだ時に、係合溝を画定するようにしたこと、
を特徴とする請求項３に記載の基本メガネフレームを装着するための相互ロック可能な磁性シェルターフレーム。
【請求項５】
前記係合部材、前記磁石及び前記係合溝の各々が円形の形状であり、
前記二つの磁石の各々が、前記係合部材の直径と少なくとも等しい直径を有すること、
を特徴とする請求項４に記載の基本メガネフレームを装着するための相互ロック可能な磁性シェルターフレーム。
【請求項６】
前記二つの係合部材が、前記二つの側部延長部の二つの後側に一体的に取り付けられた永久磁石で作られていること、
前記二つの磁性シートが、磁性的に引き付ける能力を有する軟磁性金属で一体的に作られ、前記二つの係合溝が、その前記前面に窪んでいること、
を特徴とする請求項１に記載の基本メガネフレームを装着するための相互ロック可能な磁性シェルターフレーム。
【請求項７】
前記二つの磁性シートの各々が
非磁性材料で形成され且つ、前記各支持アームから下向きに接続された磁石ハウジングと、
前記基本メガネフレームの前記フレーム本体の正面に前記シェルターフレームを装着した時に、一方の磁極が、前記各側部延長部の各係合部材と向き合い、かつ、それと整列するように、前記磁石ハウジング内に設けられた磁石と
を備えていること、を特徴とする請求項１に記載の基本メガネフレームを装着するための相互ロック可能な磁性シェルターフレーム。
【請求項８】
前記二つの磁石の各々の厚みが前記二つの磁石ハウジングの深さよりも小さく、
前記二つの磁石を前記二つの磁石ハウジング内にはめ込んだ時に、前記基本メガネフレームの二つの側部延長部の前記二つの係合部材と係合するため、前記二つの磁石シートの各々の正面で係合溝を画定するようにしたこと、
を特徴とする請求項７に記載の基本メガネフレームを装着するための相互ロック可能な磁性シェルターフレーム。
【請求項９】
前記係合部材、前記磁石及び前記係合溝の各々が円形の形状であり、
前記二つの磁石の各々が、前記係合部材の直径と少なくとも等しい直径を有すること、
を特徴とする請求項８に記載の基本メガネフレームに装着するための相互ロック可能な磁性シェルターフレーム。
【請求項１０】
前記二つの係合部材が、前記二つの側部延長部の二つの後側に一体的に取り付けられた永久磁石で作られていること、
前記二つの磁性シートの各々が
非磁性材料で形成され、且つ前記各指示アームから下向きに接続された、磁石ハウジングと、
前記基本メガネフレームの前記フレーム本体の前面に、前記シェルターフレームを装着した時に、一方の磁極が、前記各側部延長部の各係合部材と向き合い、かつ、それと整列するように、前記磁石ハウジング内に設けられた磁石と
を備えていること、
を特徴とする請求項１に記載の基本メガネフレームを装着するための相互ロック可能な磁性シェルターフレーム。
【請求項１１】
前記二つの磁石の各々の厚みが前記二つの磁石ハウジングの深さよりも小さく、
前記二つの磁石を、前記基本メガネフレームの二つの側部延長部の二つの係合部材に係合するため、前記二つの磁石ハウジング内にはめ込んだ時に、係合溝を画定するようにしたこと、
を特徴とする請求項１０に記載の基本メガネフレームを装着するための相互ロック可能な磁性シェルターフレーム。
【請求項１２】
前記二つの磁性シートが、前記基本メガネフレームの前記二つの側部延長部の頂部に乗るように後方に向けて各々伸びている前記二つの支持アームに、下方に向けて各々連結されていること、
を特徴とする請求項１０に記載の相互ロック可能な磁性シェルターフレーム。
【請求項１３】
適所に一対のレンズを装着するためのフレーム本体を備え、
前記フレーム本体が、二つのレンズ間を連結する第一ブリッジと、前記レンズの外側部に各々設けられた二つの側部延長部とを有し、
前記側部延長部の各々が、そこから後方に向けて伸び、つるを回動可能に連結するためのヒンジ部と、延長部の各々の後側に設けられた係合手段とを備えた
基本メガネフレームに装着するための相互ロック可能な磁性シェルターフレームであって、
前記シェルターフレームが、
二つの補助レンズを支持し、
前記二つの補助レンズ間に伸びるブリッジと、前記二つの補助レンズの外側部に各々設けられ、前記基本メガネフレームの前記フレーム本体の前記二つの係合手段と相互ロックし、前記基本メガネフレーム上にシェルターフレームを確実に装着するための二つの側部相互ロック手段とを備え、
前記相互ロック手段の各々が、
前記基本メガネフレームの前記フレーム本体の前記延長部の各々を横切って後方に伸びる支持アームと、
前記支持アームに連結され、前記各側部延長部の後方から磁性的に引き付け、前記各延長部の前記各係合部材と磁性的に係合し、前記シェルターフレームを前記基本メガネフレームの正面に確実に装着するため、前記支持アームから下方へ向けて接続された磁性シートと、
を備え、
前記二つの側部延長部が、磁性的に引き付けることが可能な材料で作れており、前記二つの係合手段が、前記二つの側部延長部の前記二つの後側部に、各々窪んだ二つの係合溝を有し、磁性材で作られた二つの係合部材を、個々に前記二つの磁性シートの前面から突出させており、前記シェルターフレームを、前記基本メガネフレームの前面に装着して、前記シェルターフレームと前記基本メガネフレームを、前記シェルターメガネの上方、下方、右側、左側への動きを防止することによって、更に相互ロックするようにした時、前記二つの係合部材が、前記二つの係合溝に嵌まり込むように、係合するため構成されること、
を特徴とする基本メガネフレームに装着するための相互ロック可能な磁性シェルターフレーム、
前記二つの磁性シートが、前記基本メガネフレームの前記二つの側部延長部の頂部に乗るように後方に向けて各々伸びている前記二つの支持アームに、下方に向けて各々連結されている
ことを特徴とする基本メガネフレームに装着するための相互ロック可能な磁性シェルターフレーム。
【請求項１４】
前記二つの側部延長部が、磁性引力を有する軟磁性金属で形成されていること、
を特徴とする請求項１３に記載の基本メガネフレームを装着するための相互ロック可能な磁性シェルターフレーム。
【請求項１５】
前記磁性シートの各々が、
非磁性材料で形成され、かつ、前記各支持アームから下向きに連結された磁石ハウジングと、
前記基本メガネフレームの前記フレーム本体の前面に前記シェルターフレームを装着した時に、一方の磁極が、前記各側部延長部の各係合溝と向き合い、かつ、それと整列するように、前記磁石ハウジング内に設けられた磁石と
を備えていること、
を特徴とする請求項１４に記載の基本メガネフレームを装着するための相互ロック可能な磁性シェルターフレーム。
【請求項１６】
前記二つの磁石の厚みが、前記磁石ハウジングの深さよりも大きく、
前記磁石の各々の磁極端が前記各磁石ハウジングから前方に向けて突出し、前記二つの係合手段を形成していること、
を特徴とする請求項１５に記載の基本メガネフレームを装着するための相互ロック可能な磁性シェルターフレーム。
【請求項１７】
前記係合部材、前記磁石及び前記係合溝の各々が円形の形状であり、
前記二つの磁石の各々が、前記係合部材の直径と少なくとも等しい直径を有すること、
を特徴とする請求項１６に記載の基本フレームに装着するための相互ロック可能な磁性シェルターフレーム。
【請求項１８】
前記シェルターフレームの前記ブリッジがクリップブリッジであり、
前記クリップブリッジが全体的にＵ字状に形成され、かつ、
該クリップブリッジが、
前記フレーム本体の前記第一ブリッジの二つの端部上に支持されるようにされた後方に伸びる二つのサイドワイヤーと、
前記第一ブリッジの後側に伸びる下方に湾曲したクリップワイヤーと
を備え、
前記シェルターフレームを前記基本メガネフレームの正面に装着した時に、前記クリップブリッジが前記第一ブリッジをクリップするように構成したこと、    を特徴とする請求項１７に記載の基本メガネフレームに装着するための相互ロック可能な磁性シェルターフレーム。
【請求項１９】
前記シェルターフレームの前記ブリッジがクリップブリッジであり、
前記クリップブリッジが全体的にＵ字状に形成され、かつ、
該クリップブリッジが、
前記フレーム本体の前記第一ブリッジの二つの端部上に支持されるようにされた後方に伸びる二つのサイドワイヤーと、
前記第一ブリッジの後側に伸びる下方に湾曲したクリップワイヤーと
を備え、
前記シェルターフレームを前記基本メガネフレームの正面に装着した時に、前記クリップブリッジが前記第一ブリッジをクリップするように構成したこと、    を特徴とする請求項１６に記載の基本メガネフレームに装着するための相互ロック可能な磁性シェルターフレーム。
【請求項２０】
前記磁性シートの各々が、
非磁性材料で形成され、かつ、前記各支持アームから下向きに連結された磁石ハウジングと、
前記基本メガネフレームの前記フレーム本体の前面に前記シェルターフレームを装着した時に、一方の磁極が、前記各側部延長部の各係合溝と向き合い、かつ、それと整列するように、前記磁石ハウジング内に設けられた磁石と
を備えていること、
を特徴とする請求項１３に記載の基本メガネフレームを装着するための相互ロック可能な磁性シェルターフレーム。
【請求項２１】
前記二つの磁石の厚みが、前記磁石ハウジングの深さよりも大きく、
前記磁石の各々の磁極端が前記各磁石ハウジングから前方に向けて突出し、前記二つの係合手段を形成していること、
を特徴とする請求項２０に記載の基本メガネフレームを装着するための相互ロック可能な磁性シェルターフレーム。
【請求項２２】
前記係合部材、前記磁石及び前記係合溝の各々が円形の形状であり、
前記二つの磁石の各々が、前記係合部材の直径と少なくとも等しい直径を有すること、
を特徴とする請求項２１に記載の基本フレームに装着するための相互ロック可能な磁性シェルターフレーム。
【手続補正２】
【補正対象書類名】明細書
【補正対象項目名】発明の詳細な説明
【補正方法】変更
【補正の内容】
【発明の詳細な説明】
【０００１】
（技術分野）
本発明は、メガネフレーム特に、サングラスのような補助レンズ用の相互ロック磁性シェルターフレームに関するものであり、相互ロック磁性シェルターフレームが、相互ロック嵌合部を設けた磁性手段によって、基本眼鏡フレームに取り外し可能に装着するのに適している。
【０００２】
（背景技術）
補助シェルターフレームは、今日広く使用されている。従来のシェルターフレームはクリップ留めサングラスのようなもので、近距離または遠距離用の眼鏡に取り外し可能に装着することに適しており、装着者は、近距離または遠距離の眼鏡のため別に支払ったり、それを持ったりする必要はない。しかし、基本眼鏡に装着するため、クリップ留めサングラスは、複数のクリップ留金を突出させなければならなく、クリップ留金は装着プロセス中に基本眼鏡のレンズを、傷つけ得る。また従来のクリップ留めサングラスは、クリップ留めサングラスを、基本眼鏡のレンズにおいて、正確な位置に配置させるため、両手で操作する必要がある。装着者が運転中にクリップ留めサングラスを、両手での操作が必要であることは危険である。
【０００３】
上記クリップ留めサングラスの問題を解決するため、磁性アタッチメントが最近、眼鏡産業に取り入れられている。基本的に対の磁性部材は、各基本メガネフレームの二つの上側延長部に固定されている。サングラスのような補助シェルターフレームは、補助シェルターフレームを基本メガネフレームに関して下方へ動かないようにするため、上側延長部にわたって嵌合する、一対のアームを具備し、基本メガネフレームの基本磁性部材に嵌合し、且つ補助シェルターフレームを、基本メガネフレームに固定して取り付けるための、補助的な対の磁性部材を有している。もしサングラスの補助磁性部材が、基本メガネフレームの基本磁性部材に、きちんと配置されないと、サングラスが基本メガネフレームから簡単に落ちてしまう。
【０００４】
従来の補助磁性シェルターフレームの装着プロセスが基本メガネフレームの面の補助シェルターフレームを付けるのと同じくらい簡単で、補助シェルターフレームが自動的に基本メガネフレームに取り付けられても、眼鏡は普通よりも重くなる。サングラスとの磁性引力を確実にするため、付加的に磁性部材設けられるので、それにより装着者が不快になる。
【０００５】
更に補助シェルターフレームと基本シェルターフレームが、二組の嵌合部材によって接続されるので、装着者は補助シェルターフレームを基本メガネフレームに誤って配置しやすく、補助シェルターフレームが特にスポーツをしている間と運動している間、基本メガネフレームから簡単に落ちる。
【０００６】
また従来技術により、基本フレーム上の磁性部材が、基本フレームの装飾的な外観に対して反対の影響を及ぼす。もし基本メガネフレームの装飾的な外観を維持するため、一対の小さな嵌合部材に取り替えると、装着者にとって補助者シェルターフレームを基本メガネフレームに配置するのが難しくなるだけでなく、補助シェルターフレームが、少し頭を振っただけでも、簡単に落ちる。
【０００７】
（発明の開示）
本発明の目的は、相互ロック可能な磁性シェルターフレームをメガネフレームに備えることであり、それによって相互ロック可能な磁性シェルターフレームが、正確且つ簡単に、磁性引力によって基本メガネフレームに取り付けることができる。更にシェルターフレームが、基本フレームと相互ロックするように配置されて、シェルターフレームが基本メガネフレームに固定装着される。
【０００８】
本発明の別の目的は、相互ロック可能な磁性シェルターフレームをメガネフレームに備え、磁性シェルターフレームの二つのアームが、基本メガネフレームの二つの側部延長部に磁力で取り付けられるだけでなく、基本眼鏡の二つの側部延長部に嵌合するように配置され、磁性シェルターフレームが適所に装着されると、基本メガネフレームに対して磁性シェルターフレームの上下の動き、または側方への動きを防止する。
【０００９】
本発明の別の目的は、メガネフレームに相互ロック可能な磁性シェルターフレームを備えることであり、磁石シェルターフレームが、基本メガネフレームに引き付けるかまたは、嵌合することによっても、また装着者が片手のみで、運動または運転中にシェルターフレーム取り付けまたは取外せ得る。
【００１０】
本発明の別の目的は、メガネフレームに相互ロック可能な磁性シェルターフレームを備えることであり、嵌合部材を基本メガネフレームの後側に配置して、磁性部材を前側に具備させないことである。換言すると、基本メガネの装飾的外観を維持することができ、基本メガネフレームは、磁性シェルターフレームを取り外しても、共通メガネフレームと同じに見える。
【００１１】
本発明の別の目的は、メガネフレームに相互ロック可能な磁性シェルターフレームを備えることであり、基本メガネフレームの二つの側部延長部が、可鍛性鉄、低炭素鉄及び、良質の鉄のように、磁性引力能力を有する軟磁性金属（soft magnetic metal）から作られており、基本メガネフレームに固定するため、追加の嵌合部材を必要としないで、基本メガネフレームの重さを更に減らす。更に二つの側部延長部を含む基本メガネフレーム全体を、一段階で電気メッキできる。
【００１２】
本発明の別の目的は、メガネフレームに相互ロック可能な磁性シェルターフレームを備えることであり、シェルターフレームが、基本メガネフレームウのブリッジをクリップ留めするため、ブリッジクリッパーを備え、更にシェルターフレームを基本メガネフレームに固定装着する。
【００１３】
上記の目的を達成するため、本発明は、一対のレンズを適所に装着するフレーム本体を備えた基本フレームの前方に装着するのに適する、相互ロック可能な磁性シェルターフレームを提供することである。フレーム本体は、少なくとも二つのレンズの間を接続するブリッジと、レンズの二つの外側部に設けられ、後方へ延びて、眼鏡のツルに回動結合する蝶番結合部を個々に有する二つの側部延長部とを備える。各側部延長部は、その後側に備えられた嵌合手段を有する。
【００１４】
二つの補助レンズ用のシェルターフレームは、二つの補助レンズの間に延びるブリッジを備え、個々に基本メガネフレームのフレーム本体の二つの側部延長部と相互ロックする、二つの補助レンズの二つの外側に備えられた二つの側方相互ロック手段は、シェルターフレームを基本メガネフレームに固定装着する。
【００１５】
各相互ロック手段は、基本メガネフレームの本体フレームの前記各延長部の頂部に載せるため、後方へ延びる支持アームと、支持アームから下方で接続された磁石ハウジングを具備した磁性シートと、磁石ハウジングを備え、磁石ハウジングは、シェルターフレームが基本メガネフレームのフレーム本体に装着された時、各側部延長部の嵌合手段に面して、それと整列するように配置される、一つの磁極を具備する。
【００１６】
シェルターフレームを、基本メガネフレームのフレーム本体の前方に装着するため、シェルターフレームを基本メガネフレームの前方にシェルターフレームを、単に置き、シェルルターフレームを落とす。磁性引力により、シェルターフレームの二つの磁性シートが、各基本メガネフレームのフレーム本体における二つの側部延長部の二つの嵌合手段と嵌合するため、後方から磁力により引かれる。従って、二つの相互ロック手段が、個々にフレーム本体の二つの側部延長部と個々に相互ロックされる。ゆえに本発明は、シェルターフレームを基本メガネフレームに固定装着するため、磁性引力だけでなく、相互ロック嵌合も提供する。
【００１７】
（発明を実施するための最良の形態）
図１〜図４には、本発明の好ましい第一の実施例に係る基本メガネフレーム１０に装着するのに適した相互ロック可能な磁性シェルターフレーム２０が示されている。基本メガネフレーム１０は、適所に一対のレンズ１２１及び１２２を装着するためのフレーム本体１１を備えている。フレーム本体１１は、二つのレンズ１２１及び１２２間を連結するブリッジ１１１と、レンズ１２１及び１２２の外側部に設けられた二つの側部延長部１３及び１４とを備えている。前記側部延長部１３及び１４は、それらから後方に向けて延びるヒンジ部１３０及び１４０を備え、これらのヒンジ部１３０及び１４０はテンプル（メガネのつる）１１２及び１１３を回動可能に連結する。
【００１８】
フレーム本体１１は、実質的に、図１に示すような一対のリムを有する従来のメガネフレーム、又は第一ブリッジ１１１及び側部延長部１３，１４がレンズ１２１，１２２の縁に直接固定されているブリッジ１１１及び側部延長部１３，１４を備えたリムなしの従来のメガネフレームとして構成され得る。本発明のフレーム本体１１と従来のメガネフレームとの間の大きな相違点は、二つの側部延長部１３，１４の各々の後面１３１，１４１に係合手段が設けられていることにある。
【００１９】
図１、図３及び図４に示すように、本発明の第一の好ましい実施例に係る二つの側部延長部１３，１４は、軟鋼、低炭素鋼及び高級鋼(high grade steel)のように磁性引力を有する軟磁性金属で形成されるのが好ましく、また、二つの係合手段は、各側部延長部１３，１４の各後面１３１，１４１から一体的に突出する円形の係合部材１５，１６を有する。即ち、係合部材１５，１６もまた、永久磁石のような磁性材料を引き付ける軟磁性金属で形成されている。
【００２０】
図２、図３及び図４に示すように、二つの補助レンズ２０１，２０２を支持するためのシェルターフレーム２０は、二つの補助レンズ２０１，２０２間に伸びるブリッジ２１と、二つの側部相互ロック手段２２，２３を備えている。前記相互ロック手段２２，２３は、補助レンズ２０１，２０２の外側部に設けられており、各相互ロック手段２２，２３は、基本メガネフレーム１０のフレーム本体１１の側部延長部１３，１４と相互ロックし、シェルターフレーム２０を基本メガネフレーム１０にしっかり固定する。二つの補助レンズ２０１，２０２は、脱着可能なサングラスを形成するためにシェルターフレーム２０によって支持される遮光レンズであり得る。
【００２１】
各相互ロック手段２２，２３は、支持アーム２２１，２３１と磁性シート２４，２５とを備えている。支持アーム２２１，２３１は、基本メガネフレーム１０のフレーム本体１１の各側部延長部１３，１４の頂部に乗り、磁性シート２４，２５は、支持アーム２２１，２３１に下方に向けて連結されている。各磁性シート２４，２５の正面には、円形の係合溝２４０，２５０が形成されている。各係合溝２４０，２５０の深さは、係合部材１５，１６の厚みより大きくなければならず、また、各係合溝２４０，２５０の直径は、好ましくは、係合部材１５，１６の直径と等しいか、又は、それより僅かに大きく、図３に示すように、シェルターフレーム２０を基本メガネフレーム１０に装着した時に、二つの係合部材１５，１６が二つの係合溝２４０，２５０にぴったりと係合でき、さらに、シェルターフレーム２０を基本メガネフレーム１０に相互ロックして、シェルターフレーム２０の上方、下方、左側、及び右側の何れの方向への動きも防止できるようにされている。
【００２２】
また、二つの磁性シート２４，２５は、全体を永久磁石金属によって形成することができ、二つの係合溝２４０，２５０は、その正面に打ち込まれる。しかし、本発明の第一の好ましい実施例に係る磁性シート２４，２５は、非磁性材料、即ち、軟鋼、低炭素鋼及び高級鋼(high grade steel)のように磁性引力を有する軟磁性金属で形成され、支持アーム２２１，２３１に下方に向けて連結された磁石ハウジング２４１，２５１によって構成されるのが好ましく、永久磁石２４２，２５２は磁石ハウジング２４１，２５１内に設けられ、シェルターフレーム２０を基本メガネフレーム１０のフレーム本体１１に装着した時に、その一方の磁極が各側部延長部１３，１４の各係合部材１５，１６に面する方向に整列して配置される。
【００２３】
第一の好ましい実施例によれば、二つの磁石２４２，２５２は、係合部材１５，１６の直径と等しいか、又はそれより僅かに大きい直径を有する二つの円形の永久金属磁石(permanent metallic magnet)である。さらに、二つの磁石２４２，２５２の厚さは、各々、二つの磁石ハウジング２４１，２５１の深さより小さく、二つの磁石２４２，２５２を二つの磁石ハウジング２４１，２５１にはめ込んだ時に、基本メガネフレーム１０の二つの側部延長部１３，１４の二つの円形係合部材１５，１６と係合させるための二つの円形係合溝２４０，２５０を画定するようにされている。
【００２４】
図３及び図４に示すように、二つの支持アーム２２１，２３１が二つの側部延長部１３，１４に各々乗った時に、二つの突出した係合部材１５，１６が各々係合溝２４０，２５０に同軸に挿入されるまで、二つの磁性シート２４，２５が、基本メガネフレーム１０のフレーム本体１１の二つの側部延長部１３，１４の二つの係合部材１５，１６を引き寄せ、相互ロック方法でシェルターフレーム２０が基本メガネフレーム１０にしっかりと係合するようにする。
【００２５】
二つの磁石間の磁性引力が軸線方向の線形力であり、二つの磁石間に与えられた力をせん断するための抵抗が低いことは周知である。二つの突出する係合部材１５，１６と、二つの打ち込まれた係合溝２４０，２５０との係合構造によって、シェルターフレーム２０の係合部材１５，１６と基本メガネフレーム１０の二つの磁石２４２，２５２との間の軸線方向の磁性引力が、二つの係合部材１５，１６に加えられ得る任意のせん断力に対する抵抗を強めることで保証される。さらに、シェルターフレーム２０の上方、下方又は側方への任意の動きを阻止することができ、シェルターフレーム２０をしっかりと基本メガネフレーム１０に装着することが保証される。
【００２６】
図２及び図３に示すように、シェルターフレーム２０のブリッジ２１は、クリップブリッジ(clip-bridge)であり、これは全体的に、Ｕ字状に形成され、フレーム本体１１の第一ブリッジ１１１の二つの端部上に支持されるようにされた後方に伸びる二つのサイドワイヤー２１１と、第一ブリッジ１１１の背後に伸びる下方に向けて湾曲されたクリッピングワイヤー２１２とを備え、シェルター２０を基本メガネフレーム１０に装着した時に、クリップブリッジ２１が第一ブリッジ１１１上にクリップされるようにしている。
【００２７】
選択的に、二つの係合部材１５，１６は、非磁性材料で形成された二つの側部延長部１３，１４の二つの後面１３１，１４１に一体的に取り付けられた二つの円形の永久磁石部材で形成することができ、それにより、側部延長部１３，１４と、二つの磁性シート２４，２５の二つの磁石２４２，２５２との間の磁性引力を強めることができる。さらに、二つの係合部材が磁石部材である場合には、二つの磁性シートを、軟鋼、低炭素鋼及び高級鋼(high grade steel)のように磁性引力を有する軟磁性金属で一体的に形成することができ、また、二つの係合溝２４０，２５０が、磁性シートの正面に簡単に打ち込まれる。二つの係合部材１５，１６と二つの磁性シート２４，２５との間の良好な磁性引力と係合とが達成され得る。
【００２８】
基本メガネフレーム１０のフレーム本体１１の正面にシェルターフレーム２０を装着するために、使用者は、片手で基本メガネフレーム１０の正面にシェルターフレーム２０を置いて、下方に押し下げるだけで簡単に使用できる。磁性引力のため、シェルターフレーム２０の二つの磁性シート２４，２５は後方から磁性的に引き寄せられ、基本メガネフレーム１０のフレーム本体１１の二つの側部延長部１３，１４の二つの係合部材１５，１６に係合する。さらに、二つの突起係合部１５，１６が二つの磁性シート２４，２５をガイドして、自動的に、二つの側部延長部１３，１４と整列させて引き寄せることができる。同時に、二つの係合部材１５，１６と二つの磁石２４２，２５２との間の強められた軸方向の引力が磁性シート２４，２５と二つの側部延長部１３，１４との間の係合を保障することができる。従って、シェルターフレーム２０の二つの相互ロック手段２２，２３は、各々、フレーム本体１１の二つの側部延長部１３，１４に相互ロックする。本発明は、基本メガネフレーム１０へのシェルターフレーム２０の装着を確実にするために、磁性引力だけでなく、相互ロックも提供する。
【００２９】
本発明によれば、使用者は、二つの相互ロック手段２２，２３の二つの磁性シート２４，２５が二つの係合部材１５，１６から離れて後方に移動するまでシェルターフレーム２０を基本メガネフレーム１０の方向に僅かに押すだけで、簡単に、基本メガネフレーム１０からシェルターフレーム２０を取り外すことができ、その結果、シェルターフレーム２０と基本メガネフレーム１０との間の磁性引力と機械的係合とが同時に解放され、使用者は、片手で基本メガネフレーム１０からシェルターフレーム２０を持ち上げるだけで簡単にシェルターフレーム２０を取り外すことができる。
【００３０】
図５〜図８には、本発明の第二の好ましい実施例に係るシェルターフレーム２０’及び基本メガネフレーム１０’の別の形態が示されている。図５及び図６に示すように、第二実施例の引力及び係合の概念及び構造は第一実施例と同じである。第二実施例における変更点は、二つの磁石２４２，２５２の厚さが磁石ハウジング２４１，２５１の深さより大きく、その結果として、磁石２４２，２５２の各々の磁極端が、各磁石ハウジング２４１，２５１から前方に突出し、第一実施例の二つの係合溝２４０，２５０に代わる二つの係合部材２４０’，２５０’を形成していることにある。これに対応して、二つの円形係合溝１５’，１６’が、軟鋼、低炭素鋼及び高級鋼(high grade steel)のように磁性引力を有する軟磁性金属で形成された二つの側部延長部１３’，１４’の二つの後面１３１’，１４１’に打ち込まれている。第一実施例の二つの係合部材１５，１６の代わりに、二つの係合溝１５’，１６’の各々が磁石２４２’，２５２’の直径と等しいか、それより僅かに大きい直径を有する。
【００３１】
シェルターフレーム２０’と基本メガネフレーム１０’との装着及び取外方法は、上記した第一実施例の方法と同じである。しかし、シェルターフレーム２０’を基本メガネフレーム１０の正面に置いた時に、シェルターフレーム２０’を下方に押し下げる。磁性引力により、シェルターフレーム２０’の二つの磁性シート２４’，２５’の二つの係合部材２４０’，２５０’が後方から磁性的に引き付けられ、二つの係合溝１５’，１６’に挿入され、基本メガネフレーム１０’の二つの側部延長部１３’，１４’に各々係合する。二つの係合部材２４０’，２５０’と二つの係合溝１５’，１６’との磁性引力及び係合構造は、第一実施例で説明したように、自動的な整列、係合、及びガイド作用を提供する。